(57)【要約】      （修正有）【課題】アッパ爪やロア爪がブラケットに対向しても、これらの爪をブラケットと干渉せずにヘッドボックスに取付けることができるカバーの取付構造を提供する。【解決手段】ヘッドボックス１１がブラインドを吊下げるために水平方向に一直線上に延びて設けられ、ヘッドボックス１１が部屋の壁１８上部にブラケット１９を介して取付けられる。ヘッドボックスの正面がカバー１６により覆われ、カバーが取付具１７を介してヘッドボックスに取付けられる。ヘッドボックスの正面の上部にヘッドボックスの長手方向に延びるアッパレール１１ｆが設けられ、ヘッドボックスの正面の下部にヘッドボックスの長手方向に延びるロアレール１１ｇが設けられる。取付具１７は、ブラケットに対向してもブラケットに干渉せずにロアレールに係止可能なロア爪２３と、ブラケットに対向してもブラケットに干渉せずにアッパレールに係止可能なアッパ爪２４とを有する。【選択図】図１
0003146888.tif 000002
【実用新案登録請求の範囲】
【請求項１】
カーテン、ブラインド(12)、ロールスクリーン、ローマンシェード、パネルスクリーン、プリーツスクリーン、間仕切り又はアコーディオンドアを吊下げるために水平方向に一直線上に延びるヘッドボックス(11)と、前記ヘッドボックス(11)を部屋の壁(18)上部又は天井(41)に取付けるためのブラケット(19)と、前記ヘッドボックス(11)の正面又は正面及び背面を覆うカバー(16)と、前記カバー(16)を前記ヘッドボックス(11)に取付ける取付具(17)とを備えたヘッドボックスへのカバーの取付構造において、
前記ヘッドボックス(11)の正面の上部又は正面及び背面の上部に前記ヘッドボックス(11)の長手方向に延びるアッパレール(11f,11h)が設けられ、
前記ヘッドボックス(11)の正面の下部又は正面及び背面の下部に前記ヘッドボックス(11)の長手方向に延びるロアレール(11g,11i)が設けられ、
前記取付具(17)が、前記ブラケット(19)に対向しても前記ブラケット(19)に干渉せずに前記ロアレール(11g,11i)に係止可能なロア爪(23)と、前記ブラケット(19)に対向しても前記ブラケット(19)に干渉せずに前記アッパレール(11f,11h)に係止可能なアッパ爪(24)とを有する
ことを特徴とするヘッドボックスへのカバーの取付構造。
【請求項２】
取付具(17)が、ヘッドボックス(11)の正面又は正面及び背面とカバー(16)との間に介装されたベース(21)と、前記ベース(21)に取付けられ前記カバー(16)の前記取付具(17)を介する前記ヘッドボックス(11)への取付状態で鉛直方向に延びかつ前記ベース(21)に対して鉛直方向に摺動する摺動軸(22)と、前記ベース(21)に設けられ前記ロアレール(11g,11i)に係止可能なロア爪(23)と、前記摺動軸(22)の上部から突設され前記アッパレール(11f,11h)に係止可能なアッパ爪(24)と、前記摺動軸(22)を下方に付勢する弾性体(26)とを有する請求項１記載のヘッドボックスへのカバーの取付構造。
【請求項３】
取付具(17)のベース(21)に、摺動軸(22)の上部が挿通されるアッパ孔(21f,21h)が形成された上板(21b)と、前記摺動軸(22)の下部が挿通されるロア孔(21g,21i)が形成された下板(21c)とが設けられ、
正面側アッパレール(11f)又は正面側ロアレール(11g)の前記ヘッドボックス(11)正面から前後方向に遍倚する距離が、背面側アッパレール(11h)又は背面側ロアレール(11i)の前記ヘッドボックス(11)背面から前後方向に遍倚する距離と異なるとき、
前記取付具(17)を前記ヘッドボックス(11)正面に取付ける場合と前記ヘッドボックス(11)背面に取付ける場合によって前記アッパ孔(21f,21h)及び前記ロア孔(21g,21i)の前記上板(21b)及び前記下板(21c)への形成位置が異なるように構成された請求項２記載のヘッドボックスへのカバーの取付構造。
【請求項４】
弾性体(26)が摺動軸(22)に遊嵌され前記摺動軸(22)を押下げる方向に付勢する圧縮コイルばねである請求項２記載のヘッドボックスへのカバーの取付構造。
【考案の詳細な説明】
【技術分野】
【０００１】
本考案は、カーテン、ブラインド、ロールスクリーン、ローマンシェード、パネルスクリーン、プリーツスクリーン、間仕切り又はアコーディオンドアを吊下げるために水平方向に延びて上壁又は天井に取付けられたヘッドボックスに、取付具を介してカバーを取付けるための構造に関するものである。
【背景技術】
【０００２】
従来、この種のヘッドボックスへのカバーの取付構造として、ヘッドボックスを隠すカバーをヘッドボックスに取付部材を介して取付けるヘッドボックスカバーの取付構造が開示されている（例えば、特許文献１参照。）。このヘッドボックスカバーの取付構造では、取付部材に、ヘッドボックスに対し水平方向に押し当てて係合可能とした係止片が形成される。この係止片は、ヘッドボックスの上縁に弾性的に係合する上部係止片と、ヘッドボックスの下縁に係合する下部係合片とを有する。また上部係止片の中間部から先端部が取付部材の本体部から切り離されて、上部係止片の先端に上下方向の撓みを許容し、下部係止片の基端部が取付部材の側辺との間に分離溝が形成されて、下部係止片の先端部の上下方向の撓みを許容するように構成される。更に上部係止片の先端には、下方に向って楔状に突出する第１係止部が形成され、この第１係止部がヘッドボックスの開口縁に係合し、下部係止片の先端には、上方に向って楔状に突出する第２係止部が形成され、この第２係止部がヘッドボックスの前面下縁に形成されたリブに係合するように構成される。なお、上記ヘッドボックスは取付ブラケットを介して天井面或いは壁面等の取付面に固定される。
【０００３】
このように構成されたヘッドボックスカバーの取付構造では、予め取付部材にカバーを取付け、取付面に固定されたヘッドボックスのリブに対し、下方から取付部材の下部係止片の第２係止部をあてがい、リブを回動支点として取付部材をヘッドボックス側に回動させる。これにより、上部係止片の第１係止部がヘッドボックスの開口縁を乗り越えて係合し、下部係止片がリブに係合して、カバーが取付部材を介してヘッドボックスに支持される。一方、ヘッドボックスに取付けられた取付部材を取外す場合には、開口部からドライバを挿入して、上部係止片を上方へ押上げることにより、第１係止部とヘッドボックスの開口縁との係合を解除する。これにより取付部材をヘッドボックスから取外せるようになっている。
【特許文献１】特開２００８−１０６５９４号公報（請求項１及び２、段落［００１１］、段落［００１５］〜段落［００２１］）
【考案の開示】
【考案が解決しようとする課題】
【０００４】
しかし、上記従来の特許文献１に示されたヘッドボックスカバーの取付構造では、ヘッドボックスを天井等の取付面に取付ブラケットを介して固定しており、カバーをヘッドボックスに取付けるための取付部材の上部係止片が上記取付ブラケットに対向すると、上部係止片が取付ブラケットに干渉してしまい、取付部材をヘッドボックスに取付けることができない場合があった。この場合、取付部材を取付ブラケットと干渉しない位置にヘッドボックスの長手方向にずらす必要があった。
また、上記従来の特許文献１に示されたヘッドボックスカバーの取付構造では、取付部材をヘッドボックスから取外すときにドライバ等の工具を必要とし、取外し作業が煩わしい問題点があった。
また、上記従来の特許文献１に示されたヘッドボックスカバーの取付構造では、上部係止片の第１係止部や下部係止片の第２係止部をこれらの樹脂弾性により弾性変形させてヘッドボックスのリブに係合させているため、経年変化により第１及び第２係止部の樹脂弾性力が低下して、カバーが意図せずにヘッドボックスから脱落するおそれがあった。
更に、上記従来の特許文献１に示されたヘッドボックスカバーの取付構造では、上部係止片の第１係止部のみならず、下部係止片の第２係止部も樹脂弾性による弾性変形可能に構成されているため、ヘッドボックスから吊下げられたブラインド等を操作するための操作コードを斜め手前に引いた状態で操作すると、この操作コードがカバーを押上げる方向にカバーに接触する場合があり、この場合、下部係止片の第２係止部が弾性変形してリブから外れてしまい、カバーが意図せずにヘッドボックスから脱落するおそれがある。
【０００５】
本考案の第１の目的は、アッパ爪やロア爪がブラケットに対向しても、これらの爪がブラケットと干渉せずに、これらの爪をヘッドボックスに取付けることができる、ヘッドボックスへのカバーの取付構造を提供することにある。
本考案の第２の目的は、カバーの取付具を介するヘッドボックスへの取付け作業及び取外し作業をドライバ等の工具を用いずに行うことができ、取付け及び取外しの作業性を向上できる、ヘッドボックスへのカバーの取付構造を提供することにある。
本考案の第３の目的は、アッパ爪及びロア爪の樹脂弾性を利用せずに、これらの爪とは別に設けられた弾性体の弾性力にてアッパ爪及びロア爪がヘッドボックスを挟持するように構成することにより、長期間使用しても、カバーが意図せずにヘッドボックスから離脱するのを防止できる、ヘッドボックスへのカバーの取付構造を提供することにある。
本考案の第４の目的は、操作コードを斜め手前に引いた状態で操作し、この操作コードがカバーを押上げる方向にカバーに接触しても、ロア爪がロアレールから外れず、カバーが意図せずにヘッドボックスから脱落するのを防止できる、ヘッドボックスへのカバーの取付構造を提供することにある。
本考案の第５の目的は、ヘッドボックスの正面側及び背面側をカバーにより覆うとき、正面側のカバーを取付けるための取付具と背面側のカバーを取付けるための取付具とを共通とすることができ、これにより部品点数を低減できる、ヘッドボックスへのカバーの取付構造を提供することにある。
【課題を解決するための手段】
【０００６】
請求項１に係る考案は、図１及び図４に示すように、カーテン、ブラインド１２、ロールスクリーン、ローマンシェード、パネルスクリーン、プリーツスクリーン、間仕切り又はアコーディオンドアを吊下げるために水平方向に一直線上に延びるヘッドボックス１１と、このヘッドボックス１１を部屋の壁１８上部又は天井に取付けるためのブラケット１９と、ヘッドボックス１１の正面又は正面及び背面を覆うカバー１６と、カバー１６をヘッドボックス１１に取付ける取付具１７とを備えたヘッドボックスへのカバーの取付構造の改良である。
その特徴ある構成は、ヘッドボックス１１の正面の上部又は正面及び背面の上部にヘッドボックス１１の長手方向に延びるアッパレール１１ｆ，１１ｈが設けられ、ヘッドボックス１１の正面の下部又は正面及び背面の下部にヘッドボックス１１の長手方向に延びるロアレール１１ｇ，１１ｉが設けられ、取付具１７が、ブラケット１９に対向してもブラケット１９に干渉せずにロアレール１１ｇ，１１ｉに係止可能なロア爪２３と、ブラケット１９に対向してもブラケット１９に干渉せずにアッパレール１１ｆ，１１ｈに係止可能なアッパ爪２４とを有するところにある。
【０００７】
請求項２に係る考案は、請求項１に係る考案であって、更に図１及び図４に示すように、取付具１７が、ヘッドボックス１１の正面又は正面及び背面とカバー１６との間に介装されたベース２１と、ベース２１に取付けられカバー１６の取付具１７を介するヘッドボックス１１への取付状態で鉛直方向に延びかつベース２１に対して鉛直方向に摺動する摺動軸２２と、ベース２１に設けられロアレール１１ｇ，１１ｉに係止可能なロア爪２３と、摺動軸２２の上部から突設されアッパレール１１ｆ，１１ｈに係止可能なアッパ爪２４と、摺動軸２２を下方に付勢する弾性体２６とを有するところにある。
【０００８】
請求項３に係る考案は、請求項２に係る考案であって、更に図６及び図７に示すように、取付具１７のベース２１に、摺動軸２２の上部が挿通されるアッパ孔２１ｆ，２１ｈが形成された上板２１ｂと、摺動軸２２の下部が挿通されるロア孔２１ｇ，２１ｉが形成された下板２１ｃとが設けられ、正面側アッパレール１１ｆ又は正面側ロアレール１１ｇのヘッドボックス１１正面から前後方向に遍倚する距離が、背面側アッパレール１１ｈ又は背面側ロアレール１１ｉのヘッドボックス１１背面から前後方向に遍倚する距離と異なるとき、取付具１７をヘッドボックス１１正面に取付ける場合とヘッドボックス１１背面に取付ける場合によってアッパ孔２１ｆ，２１ｈ及びロア孔２１ｇ，２１ｉの上板２１ｂ及び下板２１ｃへの形成位置が異なるように構成されたことを特徴とする。
請求項４に係る考案は、請求項２に係る考案であって、更に図１に示すように、弾性体２６が摺動軸２２に遊嵌されこの摺動軸２２を押下げる方向に付勢する圧縮コイルばねであることを特徴とする。
【考案の効果】
【０００９】
請求項１に係る本考案では、アッパ爪やロア爪がブラケットに対向しても、これらの爪がブラケットと干渉しないので、取付具をヘッドボックスの長手方向にずらすことなく、これらの爪をヘッドボックスに取付けることができる。
請求項２に係る考案では、取付具をカバーに取付けた状態でロア爪をロアレールに係止した後に、摺動軸を弾性体の弾性力に抗して押し上げ、アッパ爪をアッパレールに係止させた後に、摺動軸の押上げを解除すると、カバーが取付具を介してヘッドボックスに取付けられ、一方、カバーが取付具を介してヘッドボックスに取付けられた状態で、摺動軸を弾性体の弾性力に抗して押し上げることにより、アッパ爪がアッパレールから離脱して、カバーを取付具とともにヘッドボックスから取外すことができる。この結果、カバーの取付具を介するヘッドボックスへの取付け作業及び取外し作業をドライバ等の工具を用いずに行うことができるので、取付け及び取外しの作業性を向上できる。
またアッパ爪及びロア爪の樹脂弾性を利用せずに、これらの爪とは別に設けられた弾性体の弾性力にてアッパ爪及びロア爪がヘッドボックスを挟持する状態に保持されるので、長期間使用しても、アッパ爪やロア爪の樹脂弾性力が低下するという事態が発生しない。この結果、カバーが意図せずにヘッドボックスから離脱するのを防止できる。
更にロア爪が摺動軸ではなくベースに設けられているため、ヘッドボックスから吊下げられたブラインド等を操作するための操作コードを斜め手前に引いた状態で操作し、この操作コードがカバーを押上げる方向にカバーに接触しても、ロア爪がロアレールから外れることはない。この結果、カバーが意図せずにヘッドボックスから脱落するのを防止できる。
【００１０】
請求項３に係る考案では、取付具をヘッドボックス正面に取付ける場合とヘッドボックス背面に取付ける場合によってアッパ孔及びロア孔の上板及び下板への形成位置が異なるように構成すれば、ヘッドボックス正面及びヘッドボックス背面をカバーにより覆うとき、正面側のカバーを取付けるための取付具と背面側のカバーを取付けるための取付具とを共通にすることができる。この結果、部品点数を低減できる。
請求項４に係る考案では、弾性体が比較的長寿命の圧縮コイルばねであれば、この圧縮コイルばねにてアッパ爪及びロア爪をヘッドボックスのアッパレール及びロアレールにそれぞれ係止させた状態に保持されるので、長期間使用しても、圧縮コイルばねの弾性力が低下しない。この結果、カバーが意図せずにヘッドボックスから離脱するのを防止できる。
【考案を実施するための最良の形態】
【００１１】
次に本考案を実施するための最良の形態を図面に基づいて説明する。
＜第１の実施の形態＞
図３〜図５に示すように、ブラインド装置１０は、部屋の壁１８上部に取付けられたヘッドボックス１１と、このヘッドボックス１１から吊下げられたブラインド１２と、ヘッドボックス１１に収容されブラインド１２をヘッドボックス１１の下方に繰出すか或いはヘッドボックス１１直下に束ねる昇降機構１３と、昇降機構１３を操作してブラインド１２を上下動させる操作コード１４と、ヘッドボックス１１の正面を覆うカバー１６と、カバー１６をヘッドボックス１１に取付ける取付具１７とを備える。ヘッドボックス１１は、アルミ合金の押出し成形又は引抜き成形或いは鋼板のプレス成形等により横断面略Ｕ字状に形成され、略逆Ｌ字状のブラケット１９を介して壁１８上部に取付けられる（図１）。またヘッドボックス１１は、部屋の天井に対向し水平方向に一直線上に延びる下片１１ａと、下片１１ａのうち部屋内方に臨む側縁から上方に延びる正面片１１ｂと、下片１１ａのうち壁１８に臨む側縁から上方に延びる背面片１１ｃとを有する。なお、この実施の形態では、ヘッドボックスからブラインドを吊下げたが、ヘッドボックスからカーテン、ロールスクリーン、ローマンシェード、パネルスクリーン、プリーツスクリーン、間仕切り又はアコーディオンドアを吊下げてもよい。
【００１２】
ブラケット１９は、壁１８上部に取付けられる鉛直部１９ａと、この鉛直部１９ａ上端から部屋の内方に水平方向に延びる水平部１９ｂとを有する（図１及び図３〜図５）。ブラケット１９の水平部１９ｂの先端には第１爪１９ｃが突設され、鉛直部１９ａの上部には第２爪１９ｄが突設される（図１）。第１爪１９ｃはレバー１９ｅを操作することによりばね（図示せず）の弾性力に抗して鉛直部１９ａ側に移動可能に構成され、第２爪１９ｄはばね（図示せず）の弾性力に抗して鉛直部１９ａ内に没入可能に構成される。またヘッドボックス１１の正面片１１ｂの上部には、横断面略Ｓ字状の第１受け部１１ｄがヘッドボックス１１と一体的に設けられ、ヘッドボックス１１の背面片１１ｃの上部には、横断面略逆Ｓ字状の第２受け部１１ｅがヘッドボックス１１と一体的に設けられる。ブラケット１１の第１爪１９ｃがヘッドボックス１１の第１受け部１１ｄの上片に係止し、ブラケット１９の第２爪１９ｄがヘッドボックス１１の第２受け部１１ｅの中央片に係止することにより、ヘッドボックス１１がブラケット１９を介して壁１８上部に取付けられるようになっている。
【００１３】
一方、ヘッドボックス１１の正面の上部には、正面片１１ｂの上端から上方に所定の長さだけ突出しかつヘッドボックス１１の長手方向に延びる正面側アッパレール１１ｆがヘッドボックス１１と一体的に設けられ、この正面側アッパレール１１ｆは上記横断面略Ｓ字状の第１受け部１１ｄの下片の一部を構成する（図１）。ヘッドボックス１１の正面の下部には、正面片１１ｂの下端から下方に所定の長さだけ突出しかつヘッドボックス１１の長手方向に延びる正面側ロアレール１１ｇがヘッドボックス１１と一体的に設けられる。またヘッドボックス１１の背面の上部には、背面片１１ｃの上端から上方に所定の長さだけ突出しかつヘッドボックス１１の長手方向に延びる背面側アッパレール１１ｈがヘッドボックス１１と一体的に設けられ、この背面側アッパレール１１ｈは上記横断面略逆Ｓ字状の第２受け部１１ｅの下片の一部を構成する（図１）。ヘッドボックス１１の背面の下部には、背面側ロアレール１１ｉがヘッドボックス１１と一体的に設けられる。この背面側ロアレール１１ｉは、背面片１１ｃの下端から壁１８に向って所定の距離だけ突出した後に、下方に所定の距離だけ突出することにより、横断面が略逆Ｌ字状に形成されるとともに、ヘッドボックス１１の長手方向に延びて形成される。即ち、正面側アッパレール１１ｆと背面側アッパレール１１ｈとは略同一高さに形成されるとともに、略同一水平面上に位置する。また背面側ロアレール１１ｉは正面側ロアレール１１ｇより長く形成される。更に正面側ロアレール１１ｈは正面片１１ｂの延長線上に位置するのに対し、背面側ロアレール１１ｉは背面片１１ｃより所定の距離だけ壁１８側に遍倚（オフセット）するように構成される。
【００１４】
取付具１７は、ヘッドボックス１１の正面とカバー１６との間に介装されたベース２１と、ベース２１に摺動可能に取付けられた摺動軸２２と、ベース２１に設けられ正面側ロアレール１１ｇに係止可能なロア爪２３と、摺動軸２２の上部から突設され正面側アッパレール１１ｆに係止可能なアッパ爪２４と、摺動軸２２を下方に付勢する弾性体２６とを有する（図１）。ベース２１はカバー１６に対向する面が開口する直方体の箱状に合成樹脂の射出成形等により形成される。即ち、ベース２１は、正面片１１ｂに対向する主板２１ａと、主板２１ａの上端及び下端に連設された上板２１ｂ及び下板２１ｃと、主板２１ａの両側縁に連設された一対の側板２１ｄ，２１ｅとを有する（図１及び図２）。摺動軸２２は、カバー１６を取付具１７を介してヘッドボックス１１に取付けた状態で、鉛直方向に延びかつベース２１に対して鉛直方向に摺動するように構成される。また摺動軸２２は横断面略八角形状の棒状に合成樹脂の射出成形等により形成され、ベース２１の上板２１ｂには八角形の正面用アッパ孔２１ｆが形成され、ベース２１の下板２１ｃには八角形の正面用ロア孔２１ｇが形成される（図１及び図２）。正面用アッパ孔２１ｆ及び正面用ロア孔２１ｇに摺動軸２２を挿通することにより、摺動軸２２はベース２１に対して摺動可能であって回転不能に構成される。なお、図２の符号２１ｉは背面用ロア孔である。
【００１５】
ロア爪２３は主板２１ａの下縁に沿って設けられ、アッパ爪２４は摺動軸２２の上端からヘッドボックス１１に向って水平方向に延びて設けられる（図１）。また弾性体２６は、この実施の形態では、ばね鋼を用いて形成された圧縮コイルばねである。摺動軸２２の中央にはＣ型止め輪２７を装着可能な正面用リング溝２２ａが形成される。圧縮コイルばね２６は摺動軸２２に遊嵌され、このばね２６の上端はベース２１の上板２１ｂ下面に当接し、このばね２６の下端は摺動軸２２の正面用リング溝２２ａに装着されたＣ型止め輪２７上面に当接するように構成される。この圧縮コイルばね２６は、ロア爪２３を正面側ロアレール１１ｇに係止させ、アッパ爪２４を正面側アッパレール１１ｆに係止させたときに、アッパ爪２４を摺動軸２２とともに押下げる方向に付勢することにより、アッパ爪２４及びロア爪２３がヘッドボックス１１を挟持し、カバー１６が取付具１７を介してヘッドボックス１１に取付けられた状態が保持されるようになっている。なお、カバー１６は、この実施の形態では、板状の木材により形成される。図１及び図２の符号２１ｊ，２１ｊはベース２１と一体的に設けられた一対のフランジであり、これらのフランジ２１ｊ，２１ｊの通孔（図示せず）にタッピングねじ２８を挿通してカバー１６に螺合することにより取付具１７がカバー１６に取付けられる。更に図１の符号２２ｂは背面用リング溝である。
【００１６】
このように構成されたブラインド装置１０のヘッドボックス１１にカバー１６を取付ける手順を説明する。先ずブラケット１９の鉛直部１９ａをタッピングねじ（図示せず）により部屋の壁１８上部に、ブラケット１９の水平部１９ｂが鉛直部１９ａの上端から水平方向に延びるように取付ける。次にヘッドボックス１１の第１受け部１１ｄの上片をブラケット１９の第１爪１９ｃに係止させた状態で、ヘッドボックス１１の第２受け部１１ｅの中央片をブラケット１９の第２爪１９ｄに係止させる。これによりヘッドボックス１１をブラケット１９を介して壁１８上部に取付ける。一方、ベース２１の正面用アッパ孔２１ｆに摺動軸２２を挿通した後に、この挿通した摺動軸２２に圧縮コイルばね２６を遊嵌し、更にこの摺動軸２２を正面用ロア孔２１ｇに挿通する。そして摺動軸２２の正面用リング溝２２ａにＣ型止め輪２７を装着する。これにより取付具１７の組立が完了する。次に取付具１７のフランジ２１ｊの通孔にタッピングねじ２８を挿通した後に、このタッピングねじ２８をカバー１６に螺合することにより取付具１７のカバー１６への取付が完了する。更にカバー１６に取付けられた取付具１７のロア爪２３を正面側ロアレール１１ｇに係止させた後に（図１（ａ））、摺動軸２２を圧縮コイルばね２６の弾性力に抗して押し上げ、取付具１７をロア爪２３を中心に図１（ａ）の破線矢印の方向に回転させて、アッパ爪２４を正面側アッパレール１１ｆに係止させた後に、摺動軸２２の押上げを解除する。これによりカバー１６が取付具１７を介してヘッドボックス１１に取付けられる（図１（ｂ））。このときロア爪２３及びアッパ爪２４がブラケット１９に対向しても、これらの爪２３，２４がブラケット１９と干渉しないので、取付具１７をヘッドボックス１１の長手方向にずらすことなく、これらの爪２３，２４をヘッドボックス１１に取付けることができる。
【００１７】
次にヘッドボックス１１に取付けられたカバー１６を取外す手順を説明する。カバー１６が取付具１７を介してヘッドボックス１１に取付けられた状態で、摺動軸２２を圧縮コイルばね２６の弾性力に抗して押し上げながら、ロア爪２３を中心に図１（ａ）の破線矢印の反対方向に回転させて、アッパ爪２４を正面側アッパレール１１ｆから離脱させる。これによりカバー１６を取付具１７とともにヘッドボックス１１から取外すことができる。この結果、カバー１６の取付具１７を介するヘッドボックス１１への取付け作業及び取外し作業をドライバ等の工具を用いずに行うことができるので、取付け及び取外しの作業性を向上できる。またアッパ爪２４やロア爪２３の樹脂弾性を利用せずに、これらの爪２４，２３とは別に設けられた圧縮コイルばね２６の弾性力にてアッパ爪２４及びロア爪２３がヘッドボックス１１を挟持する状態に保持されるので、長期間使用しても、アッパ爪２４やロア爪２３の弾性力が低下するという事態が発生しない。この結果、カバー１６が意図せずにヘッドボックス１１から離脱するのを防止できる。更にロア爪２３がベース２１と一体的に設けられているため、ヘッドボックス１１から吊下げられたブラインド１２を操作するための操作コード１４を斜め手前に引いた状態で操作し、この操作コード１４がカバー１６を押上げる方向にカバー１６に接触しても、ロア爪２３が正面側ロアレール１１ｇから外れることはない。この結果、カバー１６が意図せずにヘッドボックス１１から脱落するのを防止できる。
【００１８】
＜第２の実施の形態＞
図６〜図１０は本考案の第２の実施の形態を示す。図６〜図１０において図１〜図５と同一符号は同一部品を示す。この実施の形態では、ヘッドボックス１１の正面側のみならず、ヘッドボックス１１の背面側にもカバー１６が取付具１７を介して取付けられる（図６〜図８及び図１０）。即ち、この実施の形態では、ブラインド装置４０は、部屋の窓を覆うのではなく、部屋を複数の小部屋に区画するために用いられる。このため、ヘッドボックス１１に吊下げるのは、ブラインド１２ではなく、カーテン、ロールスクリーン、ローマンシェード、パネルスクリーン、プリーツスクリーン、間仕切り又はアコーディオンドアであってもよい。この実施の形態のブラケット１９、取付具１７及びカバー１６は第１の実施の形態のブラケット、取付具及びカバーとそれぞれ同一のものが用いられる。これにより部品点数が増加せず部品管理が容易になる。なお、ブラケット１９は天井４１に取付けられる。
【００１９】
ヘッドボックス１１の背面とカバー１６との間に介装される取付具１７では、摺動軸２２がベース２１の上板２１ｂの背面用アッパ孔２１ｈと下板２１ｃの背面用ロア孔２１ｉに挿通される（図６及び図７）。背面用アッパ孔２１ｈの孔心は正面用アッパ孔２１ｆの孔心より背面側ロアレール１１ｉのオフセット量分だけ主板２１ａ側に近付けて形成され、背面用ロア孔２１ｉの孔心は正面用ロア孔２１ｇの孔心より背面側ロアレール１１ｉのオフセット量分だけ主板２１ａ側に近付けて形成される。これは、正面側ロアレール１１ｇは正面片１１ｂの延長線上に位置するのに対し、背面側ロアレール１１ｉは背面片１１ｃより所定の距離だけ壁１８側に遍倚（オフセット）しているためである。即ち、正面側アッパレール１１ｆのヘッドボックス１１正面から前後方向に遍倚する距離が、背面側アッパレール１１ｈのヘッドボックス１１背面から前後方向に遍倚する距離と同じであるけれども、正面側ロアレール１１ｇのヘッドボックス１１正面から前後方向に遍倚する距離が、背面側ロアレール１１ｉのヘッドボックス１１背面から前後方向に遍倚する距離と異なるため、取付具１７をヘッドボックス１１背面に取付ける場合に、取付具１７をヘッドボックス１１正面に取付ける場合と、正面側アッパ孔２１ｆ及び背面側アッパ孔２１ｈの上板２１ｂへの形成位置が異なり、正面側ロア孔２１ｇ及び背面側ロア孔２１ｉの下板２１ｃへの形成位置が異なるように構成される。
【００２０】
またヘッドボックス１１の背面とカバー１６との間に介装される取付具１７では、ロア爪２３は背面側ロアレール１１ｉに係止し、アッパ爪２４は背面側アッパレール１１ｈに係止するように構成される（図６）。更に摺動軸２２の背面用リング溝２２ｂは正面用リング溝２２ａより所定の距離だけアッパ爪２４から離れた位置に形成される。上記所定の距離は背面側ロアレール１１ｉの下片からの突出長さから正面側ロアレール１１ｇの下片からの突出長さを引いた分である。これは、ロア爪２３を正面側ロアレール１１ｇに係止させかつアッパ爪２４を正面側アッパレール１１ｆに係止させたときの圧縮コイルばね２６のばね圧と、ロア爪２３を背面側ロアレール１１ｉに係止させかつアッパ爪２４を背面側アッパレール１１ｈに係止させたときの圧縮コイルばね２６のばね圧とを略同一にするためである。上記以外は第１の実施の形態と同一に構成される。
【００２１】
このように構成されたブラインド装置４０のヘッドボックス１１にカバー１６を取付ける手順を説明する。先ずブラケット１９の水平部１９ｂをタッピングねじ（図示せず）により部屋の天井４１に取付ける。次にヘッドボックス１１の第１受け部１１ｄの上片をブラケット１９の第１爪１９ｃに係止させた状態で、ヘッドボックス１１の第２受け部１１ｅの中央片をブラケット１９の第２爪１９ｄに係止させる。これによりヘッドボックス１１をブラケット１９を介して天井４１に取付ける。一方、ベース２１の正面用アッパ孔２１ｆに摺動軸２２を挿通した後に、この挿通した摺動軸２２に圧縮コイルばね２６を遊嵌し、更にこの摺動軸２２を正面用ロア孔２１ｇに挿通する。そして摺動軸２２の正面用リング溝２２ａにＣ型止め輪２７を装着する。これにより正面側の取付具１７の組立が完了する。次に正面側の取付具１７のフランジ２１ｊの通孔にタッピングねじ２８を挿通した後に、このタッピングねじ２８をカバー１６に螺合することにより正面側取付具１７の正面側カバー１６への取付が完了する。別のベース２１を用意し、このベース２１の背面用アッパ孔２１ｈに別の摺動軸２２を挿通した後に、この挿通した摺動軸２２に別の圧縮コイルばね２６を遊嵌し、更にこの摺動軸２２を背面用ロア孔２１ｉに挿通する。そして摺動軸２２の背面用リング溝２２ｂに別のＣ型止め輪２７を装着する。これにより背面側の取付具１７の組立が完了する。次に背面側の取付具１７のフランジ２１ｊの通孔に別のタッピングねじ２８を挿通した後に、このタッピングねじ２８を別のカバー１６に螺合することにより背面側取付具１７の背面側カバー１６への取付が完了する。
【００２２】
正面側取付具１７のロア爪２３を正面側ロアレール１１ｇに係止させた後に（図６（ａ））、摺動軸２２を圧縮コイルばね２６の弾性力に抗して押し上げ、正面側取付具１７をロア爪２３を中心に図６（ａ）の破線矢印の方向に回転させて、アッパ爪２４を正面側アッパレール１１ｆに係止させた後に、摺動軸２２の押上げを解除する。これにより正面側カバー１６が正面側取付具１７を介してヘッドボックス１１の正面に取付けられる。このときロア爪２３及びアッパ爪２４がブラケット１９に対向しても、これらの爪２３，２４がブラケット１９と干渉しないので、取付具１７をヘッドボックス１１の長手方向にずらすことなく、これらの爪２３，２４をヘッドボックス１１に取付けることができる。次に背面側取付具１７のロア爪２３を背面側ロアレール１１ｉに係止させた後に（図６（ａ））、摺動軸２２を圧縮コイルばね２６の弾性力に抗して押し上げ、背面側取付具１７をロア爪２３を中心に図６（ａ）の一点鎖線矢印の方向に回転させて、アッパ爪２４を背面側アッパレール１１ｈに係止させた後に、摺動軸２２の押上げを解除する。これにより背面側カバー１６が背面側取付具１７を介してヘッドボックス１１の背面に取付けられる（図６（ｂ））。このときアッパ爪２４がブラケット１９に対向すると、アッパ爪２４がブラケット１９の鉛直部１９ａと干渉するため、取付具１７をヘッドボックス１１の長手方向にずらす必要がある。これは、第１の実施の形態の壁上部に取付けるためのブラケット１９をそのまま用いたためである。このため、ブラケットが鉛直部１９ａを有せずかつブラケットの第２爪１９ｄがヘッドボックス１１の第２受け部１１ｅの上片に係合するように構成すれば、ロア爪２３及びアッパ爪２４がブラケットに対向しても、これらの爪２３，２４がブラケットと干渉しないので、取付具１７をヘッドボックス１１の長手方向にずらすことなく、これらの爪２３，２４をヘッドボックス１１に取付けることができる。
【００２３】
次にヘッドボックス１１に取付けられたカバー１６を取外す手順を説明する。正面側カバー１６が正面側取付具１７を介してヘッドボックス１１正面に取付けられた状態で、摺動軸２２を圧縮コイルばね２６の弾性力に抗して押し上げながら、ロア爪２３を中心に図６（ａ）の破線矢印の反対方向に回転させて、アッパ爪２４を正面側アッパレール１１ｆから離脱させる。これにより正面側カバー１６を正面側取付具１７とともにヘッドボックス１１正面から取外すことができる。次に背面側カバー１６が背面側取付具１７を介してヘッドボックス１１背面に取付けられた状態で、摺動軸２２を圧縮コイルばね２６の弾性力に抗して押し上げながら、ロア爪２３を中心に図６（ａ）の一点鎖線矢印の反対方向に回転させて、アッパ爪２４を背面側アッパレール１１ｈから離脱させる。これにより背面側カバー１６を背面側取付具１７とともにヘッドボックス１１背面から取外すことができる。この結果、カバー１６の取付具１７を介するヘッドボックス１１への取付け作業及び取外し作業をドライバ等の工具を用いずに行うことができるので、取付け及び取外しの作業性を向上できる。上記以外の動作は第１の実施の形態の動作と略同一であるので、繰返しの説明を省略する。
【図面の簡単な説明】
【００２４】
【図１】本考案第１実施形態のカバーを取付具を介してヘッドボックスに取付ける手順を示す図４のＡ−Ａ線断面図である。
【図２】図１（ｂ）のＢ−Ｂ線断面図である。
【図３】そのカバーが取付具を介して取付けられたヘッドボックスの平面図である。
【図４】そのカバーが取付具を介して取付けられたヘッドボックスの正面図である。
【図５】そのカバーが取付具を介して取付けられたヘッドボックスの側面図である。
【図６】本考案第２実施形態のカバーを取付具を介してヘッドボックスに取付ける手順を示す図９のＣ−Ｃ線断面図である。
【図７】図６（ｂ）のＤ−Ｄ線断面図である。
【図８】そのカバーが取付具を介して取付けられたヘッドボックスの平面図である。
【図９】そのカバーが取付具を介して取付けられたヘッドボックスの正面図である。
【図１０】そのカバーが取付具を介して取付けられたヘッドボックスの側面図である。
【符号の説明】
【００２５】
１１  ヘッドボックス
１１ｆ，１１ｈ  アッパレール
１１ｇ，１１ｉ  ロアレール
１２  ブラインド
１６  カバー
１７  取付具
１８  壁
１９  ブラケット
２１  ベース
２１ｂ  上板
２１ｃ  下板
２１ｆ，２１ｈ  アッパ孔
２１ｇ，２１ｉ  ロア孔
２２  摺動軸
２３  ロア爪
２４  アッパ爪
２６  圧縮コイルばね（弾性体）
４１  天井
【図１】
0003146888.tif 000003
【図２】
0003146888.tif 000004
【図３】
0003146888.tif 000005
【図４】
0003146888.tif 000006
【図５】
0003146888.tif 000007
【図６】
0003146888.tif 000008
【図７】
0003146888.tif 000009
【図８】
0003146888.tif 000010
【図９】
0003146888.tif 000011
【図１０】
0003146888.tif 000012